(57)【要約】【課題】トールペインティングや、ステンシルや、転写等の手法で、誰でも容易に美麗な絵画等を製作できるグラフィックアート用シートを提供する。【解決手段】不織布で形成され、表面に微細な凹凸を有する複数枚のシート状部材と、このシート状部材の間に設けられ、上記複数枚のシート状部材を接合する接合用シート状部材とを有する。上記シート状部材の素材はポリエステルであると共に上記接合用シート状部材の素材はＰＶＣであって、上記複数枚のシート状部材は上記接合用シート状部材を介して加熱状態で圧着されることにより互いに接合している。【選択図】図４
2005074782.tif 000002
【特許請求の範囲】
【請求項１】
不織布で形成され、表面に微細な凹凸を有する複数枚のシート状部材と、このシート状部材の間に設けられ、上記複数枚のシート状部材を接合する接合用シート状部材とを有することを特徴とするグラフィックアート用シート。
【請求項２】
上記シート状部材の素材はポリエステルであると共に上記接合用シート状部材の素材はＰＶＣであって、上記複数枚のシート状部材は上記接合用シート状部材を介して加熱状態で圧着されることにより互いに接合することを特徴とする請求項１記載のグラフィックアート用シート。
【請求項３】
上記シート状部材は、二枚のシートにより構成され、上記接合用シート状部材は、上記二枚のシートのそれぞれ裏面側に貼設されるフィルム材と、このフィルム材が貼設された上記二枚のシートの間に配設され、上記二枚のシートを接合する中間シート状部材とにより構成されていることを特徴とする請求項２記載のグラフィックアート用シート。
【請求項４】
上記フィルム材の厚さ寸法は０．０５ｍｍであると共に、上記中間シート状部材の厚さ寸法は０．４ｍｍであることを特徴とする請求項３記載のグラフィックアート用シート。
【請求項５】
上記一方のシート状部材側から、上記第一及び第二の合成樹脂フィルム材を介し、上記他方のシート状部材の裏面側に当接したものを視認しうる程度の透明度を有して、トールペインティング、ステンシル又は転写等により絵画を製作する用に供されるものであることを特徴とする請求項１、２、３又は４記載のグラフィックアート用シート。
【発明の詳細な説明】
【技術分野】
【０００１】
本発明は、トールペインティング、ステンシル、転写等の様々な手法で絵や模様などを製作する場合に使用するグラフィックアート用シートに関する。
【背景技術】
【０００２】
最近は、トールペインティング、ステンシル、転写等の方法で絵や模様などを製作して楽しむ人が増えてきている。
【０００３】
なお、トールペインティングとは、ヨーロッパやアメリカで盛んな伝統的装飾技術であり、様々な素材、たとえば、木、ブリキ、ガラス、陶器、布などに絵を描く技法である。
【０００４】
ところで、上記のトールペインティングの素材として、例えば木を使用する場合は、木の表面に凹凸が存在するので絵を描きにくいという不具合がある。そのため、木の表面をある程度平滑にする必要があり、木の表面にシーラーを塗ったり、サンドペーパー等で磨いて木の表面を平滑にする工程などが必要となる。
【０００５】
また、木の表面に原画と同じ絵を描く場合は、トレーシングペーパーなどに原画を書き写し、そのトレーシングペーパー等と転写紙を介して原画を木に書き写す工程が必要で、さらに、木に書き写した写図に絵の具を塗る工程や、仕上げ剤を塗る工程などが必要となる。従って、木にトールペインティングを行なう場合は極めて煩雑であった。
【０００６】
従って、上記の煩雑さのため、初心者が容易にトールペインティングを始めることが困難であった。
【０００７】
また、ステンシルは周知のように型染めのことであるが、従来使用されている型紙は、型孔の周囲に付着した絵の具による汚れが落ちにくく、また、水彩絵の具の水分等を吸収して脆くなりやすい等の不具合があった。
また、プラスチック製のステンシルシートの場合は、表面が平滑なため、型孔の下絵を描きにくいと共に、型孔をカットする場合にナイフの刃先が滑ってカットしにくいという不具合があった。
【０００８】
また、転写用ベースシートに絵などを描いて、その絵を布地などに転写する場合に使用される従来の転写用ベースシートは、絵の具離れが悪く、転写が不完全になりやすいため、微細な模様を布地等に転写することができないという不具合があった。
また、絵の具離れを良くするために、転写用ベースシートの表面を平滑にすると、絵の具が付着しにくいため、絵を描きにくくなるという不具合があった。
【０００９】
なお、本出願人は、上記の不具合を解消できるグラフィックアート用シートを調査したが、関連する先行技術文献を見出すことはできなかった。
【発明の開示】
【発明が解決しようとする課題】
【００１０】
本発明の課題は、上記の不具合を解消でき、トールペインティングや、ステンシルや、転写等の手法で、誰でも容易に美麗な絵画等を製作できるグラフィックアート用シートを提供することにある。
【課題を解決するための手段】
【００１１】
上記課題を解決するために、本発明のグラフィックアート用シートは、不織布で形成され、表面に微細な凹凸を有する複数枚のシート状部材と、このシート状部材の間に設けられ、上記複数枚のシート状部材を接合する接合用シート状部材とを有することを特徴とする。
これにより、本発明のグラフィックアート用シートは、シート状部材である不織布の表面に原画を書き写して、そこに絵の具で着色することにより容易にトールペインティングを行なうことができる。
また、型孔をナイフで形成して、ステンシルシートとして使用することもできる。
また、その表面に絵の具などで絵を描き、それを布地等に当接して転写することにより転写用ベースシートとして使用することもできる。
【００１２】
また、本発明のグラフィックアート用シートは、上記シート状部材の素材はポリエステルであると共に上記接合用シート状部材の素材はＰＶＣであって、上記複数枚のシート状部材は上記接合用シート状部材を介して加熱状態で圧着されることにより互いに接合することを特徴とする。
これにより、本発明のグラフィックアート用シートは、耐水性が向上する。
【００１３】
また、本発明のグラフィックアート用シートは、上記シート状部材は、二枚のシートにより構成され、上記接合用シート状部材は、上記二枚のシートのそれぞれ裏面側に貼設されるフィルム材と、このフィルム材が貼設された上記二枚のシートの間に配設され、上記二枚のシートを接合する中間シート状部材とにより構成されていることを特徴とする。
これにより、本発明のグラフィックアート用シートは、腰が強くなると共に、表裏どちらの面も同様に使用することができる。
【００１４】
また、本発明のグラフィックアート用シートは、上記フィルム材の厚さ寸法は０．０５ｍｍであると共に、上記中間シート状部材の厚さ寸法は０．４ｍｍであることを特徴とする。
これにより、本発明のグラフィックアート用シートは、全体的に腰が強くなる。
【００１５】
また、本発明のグラフィックアート用シートは、上記一方のシート状部材側から、上記第一及び第二の合成樹脂フィルム材を介し、上記他方のシート状部材の裏面側に当接したものを視認しうる程度の透明度を有して、トールペインティング、ステンシル又は転写等により絵画を製作する用に供されるものであることを特徴とする。
これにより、本発明のグラフィックアート用シートは、原画の上に載置して、原画をシート状部材の表面に直に書き写すことができる。
従って、その書き写した写図に絵の具で着色することによりトールペインティングを行なったり、転写用ベースシートとしたり、その写図の線に沿ってナイフでカットすることにより型孔を形成してステンシル用シートとして使用することができる。
【発明の効果】
【００１６】
請求項１記載の本発明のグラフィックアート用シートは、シート状部材である不織布の表面に絵を描いてトールペインティングを行なったり、転写用ベースシートとして使用したり、型孔を形成してステンシル用シートとして使用するなど、様々なグラフィックアートに使用でき、汎用性に優れている。
【００１７】
また、請求項２記載の本発明のグラフィックアート用シートは、上記シート状部材をポリエステル製の不織布となし、上記接合用シート状部材をＰＶＣ製としたことにより耐水性が向上するので、水性絵の具を用いてその表面に描画した場合に、その水分で滲むことがなく、絵が美麗に仕上がる。
また、上記シート状部材の表面を水洗いできるので、例えば水性絵の具を使用すれば、その絵の具を綺麗に洗い落して再使用することができる。
【００１８】
また、請求項３記載の本発明のグラフィックアート用シートは、上記シート状部材が二枚のシートにより構成され、上記接合用シート状部材は、上記二枚のシートのそれぞれ裏面側に貼設されるフィルム材と、このフィルム材が貼設された上記二枚のシートの間に配設され、上記二枚のシートを接合する中間シート状部材とにより構成されていて、上記中間シート状部材が配置されていることから、シート全体として、いわゆる腰が強くなり、ペイントを行う際に使用しやすい。また、表裏どちらの面も同様に使用することができるので、使い勝手が良好である。
【００１９】
また、請求項４記載の本発明のグラフィックアート用シートは、上記フィルム材の厚さ寸法が０．０５ｍｍであると共に、上記中間シート状部材の厚さ寸法が０．４ｍｍであることから、腰が強くなって適度な硬さとなるので、絵を描いているときなどに変形したりせず、絵を描きやすい。
【００２０】
また、請求項５記載の本発明のグラフィックアート用シートは、原画の上に載置した場合に、一方のシート状部材側から原画を透視できるので、原画をそのシート状部材の表面に直に書き写すことができる。
従って、トールペインティング用シートとして使用する場合は、木などにトールペインティングを行なうときに、その木などに原画を書き写す場合のような煩雑さがない。すなわち、トレーシングペーパーや転写紙を介して原画を木などに書き写すような煩雑さがない。
従って、容易に原画を書き写すことができると共に、そこに絵の具で着色することにより即座にトールペインティングを行なうことができるので、従来のように木などにトールペインティングを行なう場合のように、木の表面にシーラーを塗ったり、サンドペーパーで磨いて表面を平滑にするというような煩雑な工程も不要となる。
その結果、初心者でも手軽にトールペインティングを実施することができる。
また、例えば、プラスチックシートのように表面が全く平滑な場合は、その表面に描画する場合にペン先が滑って描画しにくいという不具合があるが、本発明のグラフィックアート用シートは、上記表面シート状部材として不織布が用いられ、その表面に微細な凹凸を有するため、その表面に描画する場合にペン先が滑らず、上記プラスチックシートなどに比べ格段に描画しやすい。また、絵の具などで着色した場合に、絵の具の乗りが良く、美麗に仕上げることができる。
また、ステンシル用シートとして使用する場合は、その表面に微細な凹凸を有するため、その表面に下絵を描きやすいと共に、その下絵の線に沿ってカットすることにより型孔を形成する場合に、ナイフが滑りにくく、正確に型孔を形成することができる。
また、型染めする場合に、型孔の周囲に絵の具が着色しても水洗い等により容易に絵の具を落とすことができて、汚れにくい。
また、耐水性があるので、水彩絵の具の水分を吸収して脆くなることもない。
また、転写用ベースシートとして使用する場合は、その表面に不織布の微細な凹凸を有することから、絵の具が付着しやすく、絵を美麗に描くことができる。
また、上記不織布はポリエステル製で、プラスチックシートのように絵の具離れが良好なので、転写しやすい。従って、転写用ベースシートに描かれた絵を完全に布地等の被転写材に転写することができる。その結果、被転写材に描かれた絵は美麗な仕上りとなる。
【発明を実施するための最良の形態】
【００２１】
以下、添付した図面を参照して本発明の実施形態について説明する。
本実施形態に係るグラフィックアート用シート１，６は、図２及び図４に示すように、不織布で形成され、表面に微細な凹凸を有する複数枚のシート状部材２，２と、このシート状部材２，２の間に設けられ、上記複数枚のシート状部材２，２を接合する接合用シート状部材３とを有している。
そして、上記シート状部材２，２の素材はポリエステルであると共に上記接合用シート状部材３の素材はＰＶＣであって、上記複数枚のシート状部材２，２は、図２及び図４に示すように、上記接合用シート状部材３を介して加熱状態で圧着されることにより互いに接合している。
また、上記シート状部材２，２は、図２及び図４に示すように、二枚のシートにより構成され、上記接合用シート状部材３は、図２に示すように、上記二枚のシートのそれぞれ裏面側に貼設されるフィルム材４，４により構成されるか、又は、図４に示すように、上記フィルム材４，４が貼設された上記二枚のシートの間に配設され、上記二枚のシートを接合する中間シート状部材５とにより構成されている。
また、上記フィルム材４，４の厚さ寸法は０．０５ｍｍに設定されると共に、上記中間シート状部材５の厚さ寸法は０．４ｍｍに設定されている。
また、上記一方のシート状部材２側から、上記第一及び第二の合成樹脂フィルム材４，４を介し、又は、上記上記第一及び第二の合成樹脂フィルム材４，４及び上記中間シート状部材５を介し、上記他方のシート状部材２の裏面側に当接したものを視認しうる程度の透明度を有して、トールペインティング、ステンシル又は転写等により絵画を製作する用に供されるように形成されている。
【実施例１】
【００２２】
本実施例１に係るグラフィックアート用シート１は、図１及び図２に示すように、ポリエステル素材の不織布で形成された二枚のシート状部材２，２の裏面側に、それぞれ合成樹脂フィルム材４，４が貼合され、その二枚のシート状部材２，２が、裏面側の合成樹脂フィルム材４，４を介して溶着されることにより接合されている。
【００２３】
そして、上記合成樹脂フィルム材４，４は、厚さ寸法が０．０５ｍｍのＰＶＣにより形成されている。
【００２４】
また、ポリエステル製の不織布で形成された上記二枚のシート状部材２，２は半透明であり、上記合成樹脂フィルム材４，４は透明である。これにより、原画の上に重ねて置いた場合に原画が透視できて、原画をそのまま上記シート状部材２，２の表面に書き写すことができる。
【実施例２】
【００２５】
本実施例２に係るグラフィックアート用シート６は、図３及び図４に示すように、ポリエステル素材の不織布で形成された二枚のシート状部材２，２の裏面側に、それぞれ合成樹脂フィルム材４，４が貼合されるとともに、それらの間に、中間シート状部材５が配され、上記合成樹脂フィルム材４、４と上記中間シート状部材５を介して、すなわち、これらを接合用シート状部材３として、二枚のシート状部材２，２が溶着により接合されている。
【００２６】
そして、上記合成樹脂フィルム材４，４は、素材がＰＶＣで、厚さ寸法は０．０５ｍｍに設定されている。
【００２７】
また、上記中間シート状部材５は、素材がＰＶＣで、厚さ寸法は０．４ｍｍに設定されている。
【００２８】
ポリエステル製の不織布で形成された上記シート状部材２，２は半透明であり、上記合成樹脂フィルム材４，４と、上記中間シート状部材５は透明である。これにより、原画の上に重ねて置いた場合に原画が透視できて、原画をそのまま上記シート状部材２，２の表面に書き写すことができる。
【００２９】
次に、図５は上記実施例２に係るグラフィックアート用シート６の製造工程を概略的に示したものであり、以下、その工程を説明する。
【００３０】
まず、裏面に合成樹脂フィルム材４を貼合した一方のシート状部材２が、そのロール体７から引き出されるとともに、上記接合用シート状部材３を構成する上記中間シート状部材５が、そのロール体８から引き出されて、上記一方のシート状部材２における上記合成樹脂フィルム材４を貼合した面に重ね合わされる。
【００３１】
さらに、裏面に合成樹脂フィルム材４を貼合した他方のシート状部材２が、そのロール体９から引き出されて、その合成樹脂フィルム材４を貼合した側の面が上記中間シート状部材５の上に重ね合わされる。
【００３２】
そして、上記のように、それぞれ裏面に合成樹脂フィルム材４を貼合した二枚のシート状部材２，２と、中間シート状部材５とが重ね合わされた状態で、それらが一対の加熱ローラー１０，１０の間に通されて約１１０℃〜１２０℃の加熱環境下で圧着により接合される。この場合、上記加熱により、合成樹脂フィルム材４，４が溶融し、同様に溶融した中間シート状部材５を介してシート上部材２，２が接合される。その後、所要形状に切断されて、上記グラフィックアート用シート６が完成する。
【００３３】
なお、上記実施例１に係るグラフィックアート用シート１を製造する場合は、上記実施例２に係るグラフィックアート用シート６を製造する工程中、上記中間シート状部材５を重ね合わせる工程を省いて、上記二枚のシート状部材２，２を合成樹脂フィルム材４，４だけを介して接合すればよい。
【００３４】
次に、図６は、上記実施例１及び実施例２に係るグラフィックアート用シート１，６を用いてトールペインティングを行なう工程を示したものである。すなわち、上記グラフィックアート用シート１，６をトールペインティング用シート１４として使用するものである。以下、その工程について説明する。
【００３５】
まず、上記グラフィックアート用シート１，６を原画〔図は省略）の上に重ね合わせて載置する。これにより、上記不織布製のシート状部材２，２は半透明で、上記合成樹脂フィルム材４，４や中間シート状部材５は透明なので、原画を一方のシート状部材２の表面側から透視することができる。
【００３６】
従って、その原画の線を筆記具でなぞることにより、図６に示すように、一方のシート状部材２の表面に直に写図１２を描くことができる。
【００３７】
次に、上記シート状部材２の表面に直に書き写された写図１２に対し、図６に示すように、筆１３などを用いてアクリル絵の具等で着色する。これにより、トールペインティングが完成する。従って、木にトールペインティングする場合のように、木に下塗りしたり、トレーシングペーパーなどを用いて原画を木に書き写すなどの煩雑な工程が不要となり、初心者でも手軽にトールペインティングを楽しむことができる。
【００３８】
次に、図７は、上記実施例１及び実施例２に係るグラフィックアート用シート１，６を用いてステンシルにより絵を製作する工程を示したものである。すなわち、上記グラフィックアート用シート１，６をステンシル用シート１６として使用するものである。以下、その工程について説明する。
【００３９】
まず、上記グラフィックアート用シート１，６を原画〔図は省略）の上に重ね合わせて載置する。これにより、上記不織布製のシート状部材２，２は半透明で、上記合成樹脂フィルム材４，４や中間シート状部材５は透明なので、原画を一方のシート状部材２の表面側から透視することができる。
【００４０】
従って、その原画の線を筆記具でなぞることにより、一方のシート状部材２の表面に直に写図を描くことができる。この写図が上記の下絵となる。
【００４１】
次に、上記の下絵の線に沿ってナイフでカットすることにより、図７に示すように、上記グラフィックアート用シート１，６に型孔１５を形成する。これにより、ステンシル用シート１６が完成する。
【００４２】
上記ステンシル用シート１６を紙１７の上に載置し、図７に示すように、上記ステンシル用シート１６の上に絵の具１８を付着させたローラー１９を転動させるなどして、上記型孔１５から紙１７の表面に絵の具１８を付着させれば、ステンシルによって絵を製作することができる。
【００４３】
次に、図８は、上記実施例１及び実施例２に係るグラフィックアート用シート１，６を用いて転写により絵を製作する工程を示したものである。すなわち、上記グラフィックアート用シート１，６を転写用ベースシート２０として使用するものである。以下、その工程について説明する。
【００４４】
まず、上記グラフィックアート用シート１，６を用いた転写用ベースシート２０を原画〔図は省略）の上に重ね合わせて載置する。これにより、上記不織布製のシート状部材２，２は半透明で、上記合成樹脂フィルム材４，４や中間シート状部材５は透明なので、原画を一方のシート状部材２の表面側から透視することができる。
【００４５】
従って、その原画の線を筆記具でなぞることにより、一方のシート状部材２の表面に直に写図を描くことができる。
【００４６】
次に、上記の写図に、昇華性染料を用いた絵の具２１により着色して、図８の（Ａ）に示すように、絵２２を描く。そして、図８の（Ｂ）に示すように、その上に被転写材である布地２３などを置く。そして、加熱圧着することにより、図８の（Ｃ）に示すように、絵２２が転写用ベースシート２０から布地２３へ熱転写されて、その布地２３に絵の具２１が含浸されることにより、転写による絵２２の制作が完了する。
【産業上の利用可能性】
【００４７】
本発明のグラフィックアート用シートは、トールペインティング、ステンシル、転写に限らず、その他の手法により絵を製作するための全ての画材に適用することができる。
【図面の簡単な説明】
【００４８】
【図１】実施例１に係るグラフィックアート用シートの斜視図である。
【図２】実施例１に係るグラフィックアート用シートの断面図である。
【図３】実施例２に係るグラフィックアート用シートの斜視図である。
【図４】実施例２に係るグラフィックアート用シートの断面図である。
【図５】実施例２に係るグラフィックアート用シートの製造工程を示す概略説明図である。
【図６】トールペインティングにより絵を製作する工程を示す概略説明図である。
【図７】ステンシルにより絵を製作する工程を示す概略説明図である。
【図８】転写により絵を製作する工程を示す概略説明図である。
【符号の説明】
【００４９】
１    グラフィックアート用シート
２    シート状部材
３    接合用シート状部材
４    合成樹脂フィルム材
５    中間シート状部材
６    グラフィックアート用シート
７    ロール体
８    ロール体
９    ロール体
１０    加熱ローラー
１２    写図
１３    筆
１４    トールペインティング用シート
１５    型孔
１６    ステンシル用シート
１７    紙
１８    絵の具
１９    ローラー
２０    転写用ベースシート
２１    絵の具
２２    絵
２３    布地
【図１】
2005074782.tif 000003
【図２】
2005074782.tif 000004
【図３】
2005074782.tif 000005
【図４】
2005074782.tif 000006
【図５】
2005074782.tif 000007
【図６】
2005074782.tif 000008
【図７】
2005074782.tif 000009
【図８】
2005074782.tif 000010